(57)【要約】【課題】簡単な構成で、就寝者に心地良い目覚めを得させることのできる光量調節機能付居室を提供する。【解決手段】人が就寝するための就寝空間２と、就寝空間２に隣接して設置された部屋からなり太陽光や照明器具３によって照らされる光空間４と、就寝空間２と光空間４との間に配設され、就寝空間４で就寝している人の起床時刻に合わせて光空間４内の光を就寝空間２へ導いて、就寝空間２内の明るさを調節する導光装置５とを備えた。【選択図】図１
2008274696.tif 000002
【特許請求の範囲】
【請求項１】
人が就寝するための就寝空間と、前記就寝空間に隣接して設置された部屋からなり太陽光によって照らされる光空間と、前記就寝空間と前記光空間との間に配設され、就寝空間で就寝している人の起床時刻に合わせて光空間内の光を就寝空間へ導いて、就寝空間内の明るさを調節する導光装置とを備えたことを特徴とする光量調節機能付居室。
【請求項２】
前記光空間は、サンルームであることを特徴とする請求項１に記載の光量調節機能付居室。
【請求項３】
前記光空間には、当該光空間を照らす照明器具が設けられていることを特徴とする請求項１又は２に記載の光量調節機能付居室。
【請求項４】
前記光空間は、壁内面及び床面が高反射率の素材で形成されていることを特徴とする請求項１〜３のいずれか一項に記載の光量調節機能付居室。
【請求項５】
前記導光装置はスクリーンまたはブラインドを有し、前記就寝空間で就寝している人の起床時刻に合わせて前記スクリーンまたはブラインドを駆動して、前記就寝空間への光量を増加させていくことを特徴とする請求項１〜４のいずれか一項に記載の光量調節機能付居室。
【請求項６】
人が就寝するための就寝空間と、前記就寝空間に隣接して設置された部屋からなる光空間との間に配設され、スクリーンまたはブラインドを有し、前記就寝空間で就寝している人の起床時刻に合わせて前記スクリーンまたはブラインドを駆動して、太陽光によって照らされた前記光空間内の光を前記就寝空間に導いて、当該就寝空間内の照度を増加させていくことを特徴とする導光装置。
【請求項７】
請求項１〜５のいずれか一項に記載の光量調節機能付居室、又は請求項６に記載の導光装置を備えたことを特徴とする建物。
【発明の詳細な説明】
【技術分野】
【０００１】
本発明は、人の起床時刻に合わせて寝室内の明るさを調節する光量調節機能付居室に関する。
【背景技術】
【０００２】
従来より、寝室で就寝していた人つまり就寝者の覚醒度を上げるためには、寝室内の照度（光量）を制御するのが効果的である。例えば、就寝者の起床時刻に合わせて、寝室内の照度を低照度から中照度へと緩やかに増加させ、その後、中照度から高照度へと急速に増加させることで、就寝者に心地良い目覚めを得させることができる。
【０００３】
このように寝室内の照度を二段階に制御する装置として、就寝者の起床時刻前から寝室内の照明器具を点灯させて、その照明器具の光度を緩やかに増加させていき、照明器具の光度が１００％に達したら、窓のカーテンを開駆動するようにした光量調節機能付居室が提案されている（例えば、特許文献１参照）。
【特許文献１】特開２００５−３３９９９８号公報
【発明の開示】
【発明が解決しようとする課題】
【０００４】
しかしながら、上記従来の技術では、窓が最適な方位に配置されていない場合は、当該窓を介して寝室内に入射する光の照度が照明器具による照度よりも低い場合があり、これでは窓のカーテンを開駆動しても、寝室内はあまり明るくはならない。
【０００５】
また、照明器具の光度を制御するための制御機構と、窓部のカーテンを駆動するための制御機構とが必要となって、構成が複雑化する。
【０００６】
本発明の課題は、簡単な構成で、就寝者に心地良い目覚めを得させることのできる光量調節機能付居室を提供することにある。
【課題を解決するための手段】
【０００７】
上記課題を解決するために、請求項１に記載の発明は、人が就寝するための就寝空間と、前記就寝空間に隣接して設置された部屋からなり太陽光によって照らされる光空間と、前記就寝空間と前記光空間との間に配設され、就寝空間で就寝している人の起床時刻に合わせて光空間内の光を就寝空間へ導いて、就寝空間内の明るさを調節する導光装置とを備えたことを特徴としている。
【０００８】
上記構成によれば、人が就寝するための就寝空間と、太陽光によって照らされる光空間とを用意しておき、就寝者の起床時刻に合わせて、例えば就寝者の起床時刻の３０分前には太陽光によって光空間内の照度を高めておいて、その後、就寝者の起床時刻に近付くにつれて、導光装置が駆動して光空間内の光を就寝空間へ導いて、就寝空間内を明るくしていくとともに、就寝者の起床時刻に就寝空間内の照度を最高レベルまで引き上げる。
【０００９】
請求項２に記載の発明は、請求項１において、前記光空間は、サンルームであることを特徴としている。
【００１０】
請求項３に記載の発明は、請求項１又は２において、前記光空間には、当該光空間を照らす照明器具が設けられていることを特徴としている。
【００１１】
請求項４に記載の発明は、請求項１〜３のいずれか一項において、前記光空間は、壁内面及び床面が高反射率の素材で形成されていることを特徴としている。
【００１２】
請求項５に記載の発明は、請求項１〜４のいずれか一項において、前記導光装置はスクリーンまたはブラインドを有し、前記就寝空間で就寝している人の起床時刻に合わせて前記スクリーンまたはブラインドを駆動して、前記就寝空間への光量を増加させていくことを特徴としている。
【００１３】
請求項６に記載の発明は導光装置の発明であり、人が就寝するための就寝空間と、前記就寝空間に隣接して設置された部屋からなる光空間との間に配設され、スクリーンまたはブラインドを有し、前記就寝空間で就寝している人の起床時刻に合わせて前記スクリーンまたはブラインドを駆動して、太陽光によって照らされた前記光空間内の光を前記就寝空間に導いて、当該就寝空間内の照度を増加させていくことを特徴としている。
【００１４】
請求項７に記載の発明は建物の発明であり、請求項１〜５のいずれか一項に記載の光量調節機能付居室、又は請求項６に記載の導光装置を備えたことを特徴としている。
【発明の効果】
【００１５】
請求項１に記載の発明によれば、起床時刻前から就寝空間は徐々に明るくなって、起床時刻には十分に明るくなるので、就寝者に心地良い目覚めを得させることができる。この場合、就寝空間に導かれる光が太陽光であるから、就寝者にとっては生理的・感覚的に好ましく、また就寝者に高照度の光を提供できる。さらに、制御機構としては導光装置を制御する装置を設けるだけでよいから、構成が簡単な光量調節機能付居室を実現することができる。
【００１６】
請求項２に記載の発明によれば、太陽光を直接就寝空間に導くのではなく、一旦サンルームに入った柔らかい光を就寝空間に導くことができる。また、サンルームであるから光空間内の照度は十分であり、就寝空間に導く光としては十分に明るい光を確保できる。
【００１７】
請求項３に記載の発明によれば、曇りや雨の場合で、太陽光だけでは光空間内が十分に明るくならないときは、照明器具を点灯させることにより、光空間内を十分に明るくすることができる。
【００１８】
請求項４に記載の発明によれば、壁内面及び床面が高反射率の素材で形成されているので、光空間内の照度を効率的に高めることができる。
【００１９】
請求項５に記載の発明によれば、スクリーンまたはブラインドを駆動して就寝空間への光量を増加させていくことにより、就寝空間内を段階的に明るくしていくことができる。
【００２０】
請求項６に記載の発明によれば、請求項５と同様な効果を得ることができる。
【００２１】
請求項７に記載の発明によれば、簡単な構成の導光装置を有し、かつ就寝者に心地良い目覚めを得させることのできる建物を実現できる。
【発明を実施するための最良の形態】
【００２２】
以下、本発明の実施例を図面に従って説明する。
【実施例１】
【００２３】
図１は、実施例１による光量調節機能付居室の概略構成を示している。この光量調節機能付居室１は、人が就寝するための就寝空間２と、就寝空間２に隣接して設置された部屋からなり太陽光や照明器具３によって照らされる光空間４と、就寝空間２と光空間４との間に配設され、就寝空間２で就寝している人の起床時刻に合わせて光空間４内の光を就寝空間２へ導いて、就寝空間２内の明るさを調節する導光装置５とを備えている。
【００２４】
光空間４はサンルームであり、側面から見て上部に斜辺４Ａを有する台形を外部側に含む五角形を成している。すなわち、光空間４は、図２に示すように、上部に斜辺４Ａを有する台形部分４Ｂと、この台形部分４Ｂに隣接した矩形部分４Ｃとからなっている。そして、光空間４には矩形部分４Ｃの天井に照明器具３が取り付けられている。なお、光空間４としては、矩形部分４Ｃが無くて、台形部分４Ｂだけであってもよい。
【００２５】
図３及び図４は上記光量調節機能付居室１の詳細構成を示しており、図３はその左側面図、図４はその内部が見えるようにした正面図である。
【００２６】
就寝空間２には、内側（光空間４と反対側）に垂直壁６が、光空間４との間に仕切り壁７が、上部に天井８が、下部に床９がそれぞれ設けられ、就寝空間２は、これら垂直壁６、仕切り壁７、天井８及び床９によって画成されている。垂直壁６にはドア１０が開閉自在に設けられ、就寝空間２はドア１０を介して、図示していない他の部屋又は通路に繋がっている。また、就寝空間２には床９の上にベッド１１が設置されている。就寝者１２はベッド１１の上で就寝できる。なお、図４には示してないが、就寝空間２には紙面垂直方向に沿って奥側と手前側にも垂直壁が設けられている。
【００２７】
光空間４には、外側（就寝空間２と反対側）の垂直壁１２が、就寝空間２との間に仕切り壁７が、上部に傾斜壁１３及び天井１４が、下部に床１５がそれぞれ設けられ、光空間４は、これら垂直壁１２、仕切り壁７、傾斜壁１３、天井１４及び床１５によって画成されている。垂直壁１２には窓１６が、傾斜壁１３には窓１７がそれぞれ取り付けられている。また、前述したように、天井１４には照明器具３が取り付けられている。この照明器具３は必須の構成ではなく、用いない場合は無くてもよい。なお、図４には示してないが、光空間４にも紙面垂直方向に沿って奥側と手前側にも垂直壁が設けられている。
【００２８】
照明器具３は照度センサ付きの補助照明であり、冬場など夜明け前の起床時に利用される。すなわち、冬場は日が昇るのが遅いため、起床時刻に合わせて（例えば、起床時刻の３０分前に）照明器具３が作動するよう予めタイマをセットしておけば、夜明け前であっても照明器具３によって光空間４を明るくしておくことができる。
【００２９】
また、光空間４の窓１７には遮熱用ブラインドが設けられている。これにより、夏場に光空間４内の温度が上昇しすぎるのが防止されている。
【００３０】
また、光空間４の内面（垂直壁１２の内面、傾斜壁１３の内面及び床１５の上面）は反射率の高い素材で構成されている。これにより、太陽光や照明器具３による光によって光空間４内を効果的に明るくすることができる。なお、光空間４はルームコートとしても活用することができる。
【００３１】
図５は、仕切り壁７を就寝空間２側から見た図である。この仕切り壁７は、左右両サイドに半透明の間仕切り７Ａ，７Ａを有し、両間仕切り７Ａ，７Ａの間は光空間４に繋がった空間となっている。そして、この空間の部分に、光を透過しないスクリーン１８が設置されている。
【００３２】
スクリーン１８の上部には、図４に示すように、駆動装置１９が設けられ、駆動装置１９によって巻き上げられたときスクリーン１８は上昇し、駆動装置１９によって巻き戻されたときスクリーン１８は下降する。また、スクリーン１８の下部には錘（図示省略）が設けられ、この錘によってスクリーン１８は下方に引っ張られ常に垂直に保持されている。ここでは、スクリーン１８や駆動装置１９は導光装置５を構成している。
【００３３】
駆動装置１９にはタイマが内蔵され、このタイマに起床時刻を設定しておけば、その起床時刻の例えば３０分前に、起動装置１９は駆動を開始してスクリーン１８を段階的に上昇させるようになっている。
【００３４】
なお、就寝空間２に窓がある場合、当該窓にはシャッタや遮光性の高いカーテン等を設けておく必要がある。
【００３５】
次に、本実施例による光量調節機能付居室１の作用について説明する。
【００３６】
先ず、夏場等で夜明けが早く、照明器具３を用いない場合について説明する。このときの動作手順を図７に示す。就寝者は就寝する前に、駆動装置１９に内蔵されたタイマに起床時刻を予め設定しておく（ステップＳ１１）。なお、就寝者はベッド１１の上で就寝しており、スクリーン１８は最も下側に降下されているものとする。また、光空間４には窓１６，１７を介して太陽光が入射しており、光空間４内は十分に明るくなっている。
【００３７】
起床設定時刻の３０分前になると、図６（ａ）に示すように、駆動装置１９が起動して、スクリーン１８を１０％だけ上昇させる（ステップＳ１２）。このとき、スクリーン１８の下側から光空間４内の光が就寝空間２内に入射するが、スクリーン１８が１０％上昇しただけで、つまり透過率が１０パーセントであるから、就寝空間２内はまだあまり明るくはならない。
【００３８】
起床設定時刻の１０分前になると、図６（ｂ）に示すように、駆動装置１９が再度起動して、スクリーン１８を８０％上昇させる（ステップＳ１３）。スクリーン１８が８０％上昇したときは、光空間４から就寝空間２へ入射する光の透過率は８０パーセントとなり、就寝空間２内はかなり明るくなる。
【００３９】
起床設定時刻の０分前（つまり起床時刻）になると、図６（ｃ）に示すように、駆動装置１９が再度起動して、スクリーン１８を１００％上昇させる（ステップＳ１４）。スクリーン１８が１００％上昇したときは、光空間４から就寝空間２へ入射する光の透過率は１００パーセントとなり、就寝空間２内は非常に明るくなる。
【００４０】
次に、冬場等で夜明けが遅く、照明器具３を併用する場合について説明する。このときの動作手順を図８に示す。就寝者は就寝する前に、駆動装置１９に内蔵されたタイマに起床時刻を予め設定しておく（ステップＳ２１）。
【００４１】
起床設定時刻の３０分前になると（ステップＳ２２）、照明器具３に内蔵された照明センサが光空間４内の照度を検出する。そして、光空間４内の照度が１００lx(ルクス)以下であるか否か判断され（ステップＳ２３）、１００lx(ルクス)以下の場合は照明器具３をＯＮ（ステップＳ２４）にして光空間４内を所定値以上の照度にした後、ステップＳ２５へ進む。光空間４内の照度が１００lx(ルクス)を超えている場合は、照明器具３をＯＮにせず、そのままステップＳ２５へ進む。
【００４２】
そして、図６（ａ）に示すように、駆動装置１９が起動して、スクリーン１８を１０％だけ上昇させる（ステップＳ２５）。このとき、スクリーン１８の下側から光空間４内の光が就寝空間２内に入射するが、スクリーン１８が１０％上昇しただけで、つまり透過率が１０パーセントであるから、就寝空間２内はまだあまり明るくはならない。
【００４３】
起床設定時刻の１０分前になると、図６（ｂ）に示すように、駆動装置１９が再度起動して、スクリーン１８を８０％上昇させる（ステップＳ２６）。スクリーン１８が８０％上昇したときは、光空間４から就寝空間２へ入射する光の透過率は８０パーセントとなり、就寝空間２内はかなり明るくなる。
【００４４】
起床設定時刻の０分前（つまり起床時刻）になると、図６（ｃ）に示すように、駆動装置１９が再度起動して、スクリーン１８を１００％上昇させる（ステップＳ２７）。スクリーン１８が１００％上昇したときは、光空間４から就寝空間２へ入射する光の透過率は１００パーセントとなり、就寝空間２内は非常に明るくなる。
【００４５】
以上のように、本実施例によれば、照明器具３を併用する場合も併用しない場合も、就寝者の起床時刻に合わせてスクリーン１８を段階的に上昇させることにより、就寝空間４内の照度が段階的に高められ、就寝者は心地良い寝覚めを得ることができる。特に、太陽光を就寝空間２に導くことで、就寝空間２内の照度が一気に高められ、就寝していた人の覚醒度を高めることができる。一般に覚醒度を高めるには、就寝者の顔付近で２００lx(ルクス)以上の照度が好ましいことが分かっているが（特開平７−３１８６７０号公報参照）、本実施例では２００lx(ルクス)以上の照度を実現することができる。
【００４６】
また、太陽光の取り込みが可能なときは照明器具３はＯＮされないので、その分、電気代を節約できる。
【００４７】
また、制御機構としてはスクリーン１８を制御する駆動装置１９を設けるだけでよいから、構成が簡単な光量調節機能付居室を実現することができる。
【００４８】
さらに、傾斜壁１３に窓１７を設けたので、太陽光を効果的に光空間４内に取り入れることができる。
【００４９】
また、導光装置５としては、スクリーン１８及び駆動装置１９の代わりに、ブラインド及びこのブラインドの角度を変える駆動装置を用いてもよい。
【実施例２】
【００５０】
図９及び１０は実施例２を示している。本実施例では、就寝空間２に隣接して直方体形状の光空間２０が設けられている。光空間２０には、就寝空間２との間に仕切り壁７が、外側（就寝空間２と反対側）の垂直壁２１が、上部に天井２２が、下部に床２３がそれぞれ設けられ、光空間２０は、これら仕切り壁７、垂直壁２１、天井２２及び床２３によって画成されている。垂直壁２１には１つの大きな窓２４が、天井２２には照明器具２５がそれぞれ取り付けられている。なお、図１０には示してないが、光空間２０には、紙面垂直方向に沿って奥側と手前側にも垂直壁が設けられている。
【００５１】
光空間２０はサンルームであり、その内面（垂直壁２１の内面及び床２３の上面）は反射率の高い素材で構成されている。これにより、太陽光や照明器具２５による光によって光空間２０内を効果的に明るくすることができる。
【００５２】
また、照明器具２５は、実施例１の場合と同様、照度センサ付きの補助照明であり、冬場など夜明け前の起床時に利用される。この照明器具２５は必須の構成ではなく、用いない場合には無くてもよい。
【００５３】
仕切り壁７は実施例１と同様なものであり、この仕切り壁７には、駆動装置１９によって上下方向に駆動されるスクリーン１８が設けられている。また、就寝空間２は実施例１の場合と同様な構成である。
【００５４】
本実施例の場合も、実施例１と同様に、就寝者の起床時刻に合わせてスクリーン１８を巻き上げていくことにより、就寝空間２の明るさを段階的に明るくしていくことができ、就寝者に心地良い目覚めを得させることができる。
【００５５】
なお、本実施例の場合も、スクリーン１８及び駆動装置１９の代わりに、ブラインド及びこのブラインドの角度を変える駆動装置を用いてもよい。
【図面の簡単な説明】
【００５６】
【図１】実施例１による光量調節機能付居室の概略構成図である。
【図２】光空間が台形部分と矩形部分からなることを説明する図である。
【図３】図１の光量調節機能付居室の左側面図である。
【図４】図１の光量調節機能付居室の内部が見えるようにしたときの正面図である。
【図５】仕切り壁を就寝空間側から見た図である。
【図６】スクリーンが巻き上げられていく様子を示しており、（ａ）は起床設定時刻３０分前の状態を示す図、（ｂ）は起床設定時刻１０分前の状態を示す図、（ｃ）は起床設定時刻０分前の状態を示す図である。
【図７】照明器具を用いないときのスクリーンの動作手順を示すフローチャートである。
【図８】照明器具を併用したときのスクリーンの動作手順を示すフローチャートである。
【図９】実施例２による光量調節機能付居室の左側面図である。
【図１０】実施例２による光量調節機能付居室の内部が見えるようにしたときの正面図である。
【符号の説明】
【００５７】
１  光量調節機能付居室
２  就寝空間
３，２５  照明器具
４，２０  光空間
５  導光装置
７  仕切り壁
１２，２１  垂直壁
１３  傾斜壁
１５，２３  床
１６，１７，２４  窓
１８  スクリーン
１９  駆動装置
【図１】
2008274696.tif 000003
【図２】
2008274696.tif 000004
【図３】
2008274696.tif 000005
【図４】
2008274696.tif 000006
【図５】
2008274696.tif 000007
【図６】
2008274696.tif 000008
【図７】
2008274696.tif 000009
【図８】
2008274696.tif 000010
【図９】
2008274696.tif 000011
【図１０】
2008274696.tif 000012